(57)【要約】      （修正有）【課題】鼻孔及び口を覆うマウスシールドにおいて、例えば飲食の際に視界を遮ることが無く、使用者が眼鏡を装着している場合には眼鏡に干渉せず、また、使用者の肌との接触面積が小さい状態で装着することができるマウスシールドを提供する。【解決手段】マウスシールド１は、使用者の鼻孔及び口を覆うシールド１５と、使用者１００の顔の前を横方向に延びるように形成され、シールド１５の上縁部を保持する１本のフレーム５とを備え、フレーム５の中央部には、使用者１００の顔側に棒状に突出し、先端部５ｂ２が使用者の鼻の両側の鼻翼溝１０１近傍に当接するように設けられた一対の鼻当て５ｂが形成されている。【選択図】図１
0003231306.tif 000002
【実用新案登録請求の範囲】
【請求項１】
使用者の鼻孔及び口を覆うシールドと、
使用者の顔の前を横方向に延びるように形成され、前記シールドの上縁部を保持する１本のフレームとを備え、
前記フレームの中央部には、使用者の顔側に棒状に突出し、先端部が使用者の鼻の左右両側の鼻翼溝近傍に当接するように設けられた一対の鼻当てが形成されていることを特徴とするマウスシールド。
【請求項２】
前記シールドの上縁部に設けられた第一の磁性体と、
前記第一の磁性体に吸着可能であって、前記フレームにおいて前記第一の磁性体の位置に対応して設けられた第二の磁性体とを備え、
前記第一の磁性体と前記第二の磁性体とが吸着または分離することによって、前記シールドは前記フレームに対し着脱自在であることを特徴とする請求項１に記載されたマウスシールド。
【請求項３】
前記第一の磁性体と、第二の磁性体が複数設けられ、
前記シールドの左右いずれかの片側の一の第一の磁性体を、前記一の第二の磁性体から分離し、かつ他側の他の第一の磁性体は前記他の第二の磁性体と吸着し、前記シールドの片側を他側に折り返し二つ折りにした状態で、
前記分離した前記一の第一の磁性体を、前記他の第二の磁性体が吸着して、二つ折りのシールドを固定することを特徴とする請求項２に記載されたマウスシールド。
【請求項４】
前記フレームと前記シールドとを挟持可能な着脱自在のクリップを備えることを特徴とする請求項２または請求項３に記載されたマウスシールド。
【請求項５】
前記クリップが磁性体であることを特徴とする請求項４に記載されたマウスシールド。
【請求項６】
前記シールドは、
使用者の左右一方の頬側を覆う第一のシールドと、使用者の他方の頬側を覆う第二のシールドと、前記第一のシールドに形成され、使用者の口の前方に配置された開口と、前記第二のシールドに形成され、前記開口を覆うことが可能なメインシールドと、前記第二のシールドにおいて、前記メインシールドの一辺に沿って形成されたヒンジ部とを備え、
前記メインシールドは、前記ヒンジ部を軸に回動可能であって、該メインシールドが回動しない閉じた状態において、該メインシールドは、前記開口が形成された第一のシールドよりも前方側に配置されて該第一のシールドに重なり、該重なる位置において、前記メインシールドと前記第一のシールドとには、互いに吸着可能な磁性体が設けられていることを特徴とする請求項１に記載されたマウスシールド。
【請求項７】
前記第一のシールドの開口は、切り欠きによって形成され、該切り欠きの形成位置によって該開口の大きさが設定されていることを特徴とする請求項６に記載されたマウスシールド。
【請求項８】
前記ヒンジ部は、縦方向に延びる線状に形成され、
前記メインシールドは、前記ヒンジ部を軸にして横方向に回動可能であることを特徴とする請求項６または請求項７に記載されたマウスシールド。
【請求項９】
前記ヒンジ部は、横方向に延びる線状に形成され、
前記メインシールドは、前記ヒンジ部を軸にして縦方向に回動可能であることを特徴とする請求項６または請求項７に記載されたマウスシールド。
【考案の詳細な説明】
【技術分野】
【０００１】
本考案は、マウスシールドに関し、使用者の鼻孔、口を覆うことができ、取り外すことなく飲食することのできるマウスシールドに関する。
【背景技術】
【０００２】
例えば感染症防止、或いは花粉症対策等のために多くの人がマスクやマウスシールドを使用している。しかしながら、一般的なマスクやマウスシールドにあっては、飲食時において、それを一旦取り外さないと、飲食することができないという課題がある。
【０００３】
このような課題に対し、特許文献１に開示されたマスク型シールド（マウスシールド）は、図８（ａ）に示すような構成を有している。図８（ａ）に示すマスク型シールドは、使用者５１の口と外鼻孔を覆うシールド本体５２と、このシールド本体５２を取付けるフレーム５３と、フレーム５３の両端に接続され、使用者５１の耳に掛けられる一対の紐５４とを備える。
【０００４】
フレーム５３は、使用者５１の鼻背に係止して左右に延びる鼻背係止部５３ａと、鼻背係止部５３ａの左右の端部に接続され使用者の左右の頬に沿って下方に延びる一対の脚部５３ｂと、上部両側縁にそれぞれ突設された一対のフック５６とを有する。シールド本体５２は、一対のフック５６に回動可能に係止する一対の通孔５２ｃを有し、図８（ａ）に示すようにシールド本体５２を一対のフック１６を中心に下方に回転させたとき、シールド本体５２により使用者５１の口と外鼻孔が覆われる被覆位置になる。一方、図８（ｂ）に示すように、シールド本体５２を一対のフック５６を中心に上方に回転させたとき、使用者５１の口と外鼻孔が開放される開放位置になる。
【０００５】
このように構成されたマスク型シールドを使用することにより、シールドを取り外さなくとも、図８（ｂ）に示したようにシールド本体５２を上方に回転させることにより、使用者は飲食することが可能となる。
【先行技術文献】
【特許文献】
【０００６】
【特許文献１】実用新案登録第３２２８３４８号公報
【考案の概要】
【考案が解決しようとする課題】
【０００７】
しかしながら、特許文献１に開示されたマスク型シールドの構造にあっては、図８（ｂ）のようにマスク本体５２を上方に回転させたとき、マスク本体５２が使用者の目の高さ位置にあるために視界を遮り、飲食がしづらいという課題があった。
また、使用者が眼鏡を掛けている場合に、回転させたマスク本体５２が、眼鏡に干渉するという課題があった。
更に、フレーム５３の有する一対の脚部５３ｂは、使用者の左右の頬に沿って下方に延びる状態で装着されるが、使用者の肌との接触面積が大きくなるため、汗の蒸れや、肌のかぶれなどが生じやすいという課題があった。
【０００８】
本考案の目的は、鼻孔及び口を覆うマウスシールドにおいて、例えば飲食の際に視界を遮ることが無く、使用者が眼鏡を装着している場合には眼鏡に干渉せず、また、使用者の肌との接触面積が小さい状態で装着することができるマウスシールドを提供することを目的とする。
【課題を解決するための手段】
【０００９】
前記した課題を解決するために、本考案に係るマウスシールドは、使用者の鼻孔及び口を覆うシールドと、使用者の顔の前を横方向に延びるように形成され、前記シールドの上縁部を保持する１本のフレームとを備え、前記フレームの中央部には、使用者の顔側に棒状に突出し、先端部が使用者の鼻の左右両側の鼻翼溝近傍に当接するように設けられた一対の鼻当てが形成されていることに特徴を有する。
【００１０】
このように構成されたマスクシールドにおいては、使用者の顔に対してフレームを支える２本の棒状の鼻当てが、使用者の鼻翼溝の近傍、即ち鼻の下部に当接するため、使用者が眼鏡を掛けても干渉しない。また、鼻当てが棒状、即ち長く形成されているため、使用者の顔とフレームの位置との距離（隙間）が長くなり、フレーム及びシールドがあっても下方への視界が遮られない（下方が見やすい）、といった効果を奏することができる。
また、マスクシールドを装着する際に、該マスクシールドは、使用者の顔の鼻翼溝近傍に対し鼻当てを介して支持される。即ち、マスクシールドの接触面積が小さいため、汗の蒸れや、肌のかぶれなどの発生を防止することができる。
【００１１】
尚、前記シールドの上縁部に設けられた第一の磁性体と、前記第一の磁性体に吸着可能であって、前記フレームにおいて前記第一の磁性体の位置に対応して設けられた第二の磁性体とを備え、前記第一の磁性体と前記第二の磁性体とが吸着または分離することによって、前記シールドは前記フレームに対し着脱自在であってもよい。
また、前記第一の磁性体と、第二の磁性体が複数設けられ、前記シールドの左右いずれかの片側の一の第一の磁性体を、前記一の第二の磁性体から分離し、かつ他側の他の第一の磁性体は前記他の第二の磁性体と吸着し、前記シールドの片側を他側に折り返し二つ折りにした状態で、前記分離した前記一の第一の磁性体を、前記他の第二の磁性体が吸着して、二つ折りのシールドを固定しても良い。
更に、前記フレームと前記シールドとを挟持可能な着脱自在のクリップを備えることが望ましい。
【００１２】
このような構成によれば、シールドを容易に開閉でき、シールドを閉じた状態にあっては、せきやくしゃみなどによって飛び散る飛沫の拡散を防止できる。またシールドを開いた状態にあっては、例えば食事の際には、フレームからシールド全体を取り外す、或いは、シールドを二つ折りにしてフレームの左右いずれかの片側に磁性体で固定すれば、視界が遮られることなく、また干渉無く食事することができる。
また、フレームとシールドは別部品として構成されるため、シールドの交換を容易に行うことができる。
【００１３】
また、前記シールドは、使用者の左右一方の頬側を覆う第一のシールドと、使用者の他方の頬側を覆う第二のシールドと、前記第一のシールドに形成され、使用者の口の前方に配置された開口と、前記第二のシールドに形成され、前記開口を覆うことが可能なメインシールドと、前記第二のシールドにおいて、前記メインシールドの一辺に沿って形成されたヒンジ部とを備え、前記メインシールドは、前記ヒンジ部を軸に回動可能であって、該メインシールドが回動しない閉じた状態において、該メインシールドは、前記開口が形成された第一のシールドよりも前方側に配置されて該第一のシールドに重なり、該重なる位置において、前記メインシールドと前記第一のシールドとには、互いに吸着可能な磁性体が設けられている構成であってもよい。
尚、前記第一のシールドの開口は、切り欠きによって形成され、該切り欠きの形成位置によって該開口の大きさが設定されていることが望ましい。
また、前記ヒンジ部は、縦方向に延びる線状に形成され、前記回動板は、前記ヒンジ部を軸にして横方向に回動可能であることが望ましい。
或いは、前記ヒンジ部は、横方向に延びる線状に形成され、前記回動板は、前記ヒンジ部を軸にして縦方向に回動可能である構成であってもよい。
【００１４】
このような構成によれば、マウスシールドは、使用者の鼻孔及び口を覆うメインシールドを備え、前記メインシールドは、ヒンジ部によって水平方向（横方向）に回動可能である。
この構成により、メインシールドは、その下端を前方に軽く押すだけで、ヒンジ部を回転軸として回動し開口が開く。このとき、メインシールドは、使用者の目の高さより下方に位置するため、視界が遮られることなく、容易に飲食することができる。
また、シールドの一部を開口するため、シールド全体を取り外すよりも飛沫等に対する遮蔽効果が高いといった効果が得られる。
【考案の効果】
【００１５】
本考案によれば、鼻孔及び口を覆うマウスシールドにおいて、例えば飲食の際に視界を遮ることが無く、使用者が眼鏡を装着している場合には眼鏡に干渉せず、また、使用者の肌との接触面積が小さい状態で装着することができるマウスシールドを提供することができる。
【図面の簡単な説明】
【００１６】
【図１】図１は、本考案の第一の実施の形態に係るマウスシールドの斜視図である。
【図２】図２は、図１のマウスシールドの状態と異なる状態を示す斜視図である。
【図３】図３は、本考案の第二の実施の形態に係るマウスシールドの斜視図である。
【図４】図４は、図３のマウスシールドの状態と異なる状態を示す斜視図である。
【図５】図５（ａ）乃至（ｃ）は、図３のマウスシールドのメインシールドの回動機構を説明するための側面図である。
【図６】図６は、本考案の他の実施の形態に係るマウスシールドの斜視図である。
【図７】図７は、図６のマウスシールドの状態と異なる状態を示す斜視図である。
【図８】図８（ａ）、（ｂ）は、従来のマウスシールドの構成を示す側面図である。
【考案を実施するための形態】
【００１７】
（第一の実施の形態）
以下、本考案のマウスシールドに係る第一の実施の形態につき、図面に基づいて説明する。本考案のマウスシールドは、使用者の鼻孔及び口を覆うことができ、マスクと同様に感染症防止等の目的に用いるものである。
図１は、本考案の第一の実施形態に係るマウスシールドの斜視図であり、図２は、図１のマウスシールドの状態と異なる状態を示す斜視図である。
【００１８】
マウスシールド１は、使用者の顔前方において水平方向に弧を描くよう弓状に湾曲した１本のフレーム５と、マウスシールド１を使用者の顔に装着するための左右一対の耳掛け紐６とを備える。前記フレーム５の両側には、前記耳掛け紐６を取り付けるための紐通し孔５ａが形成されている。
【００１９】
また、フレーム５の中央部には、使用者の顔側に棒状に突出し、先端が使用者１００の鼻の左右両側の鼻翼溝１０１近傍（即ち、使用者の鼻の下部側）に当接するように設けられた２本一対の鼻当て５ｂが設けられている。鼻当て５ｂは、フレーム５から直棒状に伸びる脚部５ｂ１と、脚部５ｂ１の先端から使用者の鼻翼溝１０１の近傍に沿って密着するように湾曲した形状の先端部５ｂ２とを有する。前記脚部５ｂ１が長く形成されることにより、使用者の顔とフレーム５との距離（隙間）が長く確保され、下方の視界が遮らないように構成されている。
【００２０】
フレーム５の材質は、特に限定されないが、軽量且つ耐久性の高いポリカーボネート等により形成されている。
また、フレーム５の内部または表面には、後述するシールド１５を着脱自在に保持するための部材として、鉄板、マグネットなどの磁性体（図示せず、第二の磁性体）がフレーム５の一部或いは全体に設けられている。
【００２１】
図１に示すシールド１５は、例えば無色透明のＰＥＴ（ポリエチレンテレフタレート）等の樹脂材料により形成された横長の板部材であり、図示するようにフレーム５に取り付けられる。
シールド１５の上縁部には、複数箇所（図では、中央と左右端部の全箇所）にマグネット９（第一の磁性体）が設けられており、それらはフレーム５に設けられた前記磁性体（第二の磁性体）の位置に対応している。
即ち、シールド１５のマグネット９が、フレーム５に設けられた鉄板、マグネットなどの磁性体に吸着することによって、シールド１５がフレーム５に保持されるようになっている。
このようにシールド１５はフレーム５に対し、磁性体同士が吸着することで保持されるため、使用者が手の力で容易に分離することができ、食事の際など、シールド１５全体を外して食事することもできる。
【００２２】
また、マグネット９（第一の磁性体）を、フレーム５に設けられた磁性体（第二の磁性体）から分離し、前記シールド１５の片側を他側に折り返し二つ折りにした状態で、前記分離したマグネット９（第一の磁性体）を、フレーム５に設けられた磁性体（第二の磁性体）が吸着することによって、二つ折りのシールドを固定しても良い。この場合、食事の際などに、シールド１５の一部を開放して食事することもできる。
なお、本実施の形態においては、図示するようにフレーム５とシールド１５とを挟持する着脱自在なクリップ１１が設けられており、このクリップ１１を用いることで、シールド１５が不意に外れることを防止している。
【００２３】
また、クリップ１１を磁性体で形成し、前記分離したマグネット９（第一の磁性体）を、クリップ１１が吸着することによって、二つ折りのシールドを固定しても良い。
【００２４】
更に、シールド１５の上部と使用者の顔との間の隙間を塞ぐためのアッパーシールド４が設けられている。このアッパーシールド４は必要に応じて設けられる。このアッパーシールド４の材質は、例えば無色透明のＰＥＴ（ポリエチレンテレフタレート）等の樹脂材料により形成されているが、着色された透明な樹脂材料により形成してもよい。
【００２５】
このように構成されたマスクシールド１においては、シールドを容易に開閉でき、またシールドを閉じている状態にあっては、せきやくしゃみなどによって飛び散る飛沫の拡散を防止できる。また、シールド１５を、無色透明のＰＥＴ（ポリエチレンテレフタレート）等の樹脂材料により形成した場合には、シールドを閉じている状態においても、使用者の表情を視認できる。
【００２６】
また、使用者の顔に対してフレーム５を支える２本の棒状の鼻当て５ｂが、使用者の鼻翼溝１０１近傍、即ち鼻の下部に当接するため、使用者が眼鏡を掛けても干渉しない。また、鼻当て５ｂの脚部５ｂ１が長く形成されているため、使用者の顔とフレーム５の位置との距離（隙間）が長くなり、フレーム５及びシールド１５があっても下方への視界が遮られない（下方が見やすい）。
【００２７】
また、食事の際には、フレーム５からシールド１５全体を取り外す、或いは、図２に示すように、シールド１５を二つ折りにしてフレーム５の左右いずれか（図では使用者の左頬側）の片側に、分離したマグネット９（第一の磁性体）を吸着して、あるいはまたクリップ１１で固定すれば、視界が遮られることなく、また干渉無く食事することができる。
尚、クリップ１１を磁性体により形成すれば、フレーム５から離した一方のマグネット９を、シールド１５を二つ折りした状態で、クリップ１１に吸着させ固定してもよい（図２の破線円で囲む図参照）。
【００２８】
また、マスクシールド１を装着する際に、該マスクシールド１と使用者の顔との接触部は、鼻当て５ｂと耳掛け紐６のみであり、肌への接触面積が小さいため、汗の蒸れや、肌のかぶれなどの発生を防止することができる。
更に、このように構成されたマスクシールド１は、フレームとシールドは別部品として構成され、しかもシールド１５はフレーム５に対し、磁性体同士が吸着することで保持されるため、シールドが破損等した場合に、新規なシールドへの交換を容易に行うことができる。
【００２９】
尚、前記第一の実施の形態においては、フレーム５に対しシールド１５が着脱自在に設けられた構成としたが、本考案にあっては、その形態に限定されるものではない。例えば、フレーム５に対しシールド１５が外れないように固定されたものであってもよく、その場合、眼鏡との干渉を防止することができ、また、下方の視界が遮られない、更には、汗の蒸れや、肌のかぶれなどが生じないといった効果を得ることができる。
【００３０】
（第二の実施の形態）
図３は、本考案の第二の実施形態に係るマウスシールドの斜視図であり、図４は、図３のマウスシールドの状態と異なる状態を示す斜視図である。
この第二の実施の形態においては、第一の実施の形態におけるシールドの構成のみが異なる。
図示するマウスシールド１は、シールド部材として、使用者の左頬側を覆うレフトシールド２（第一のシールド）と、使用者の右頬側を覆うライトシールド３（第二のシールド）とを備える。前記レフトシールド２は、使用者の左頬側から口側に延設されて、使用者の鼻孔及び口を覆うための矩形状のメインシールド１０を有する。さらに、マウスシールド１は、前記レフトシールド２及びライトシールド３の上方に配置され、それらシールドの上部と使用者の顔との間の隙間を塞ぐためのアッパーシールド４とを備える。
前記レフトシールド２、ライトシールド３、及びアッパーシールド４は、例えば無色透明のＰＥＴ（ポリエチレンテレフタレート）等の樹脂材料により形成されているが、着色された透明な樹脂材料により形成してもよい。
【００３１】
前記レフトシールド２、ライトシールド３、及びアッパーシールド４は、第一の実施の形態において説明した形状と同様の形状のフレーム５に固定されている。
図３に示すようにライトシールド３は、使用者の口前方に対応する位置において、垂直方向に直線状の切り欠き３ａと水平方向に直線状の切り欠き３ｂとが形成されている。これら切り欠き３ａ、３ｂは互いに交差し、交差位置３ｃからライトシールド３の一端部３ｄまでの横幅（切り欠き３ｂの長さ）において、その下方に開口７が形成されている。尚、水平方向の切り欠き３ｂの長さ寸法は、任意に設定してよい。
また、水平方向の切り欠き３ｂの高さ方向位置は、フレーム５下端から下方に幅寸法ｈ１の位置であり、この寸法ｈ１の長さも任意に設定することができる（即ち、寸法ｈ１を大きくするほど、開口７の縦方向長さｈ２（切り欠き３ａの長さ）が小さくなる）。
【００３２】
一方、レフトシールド２は、前記開口７を覆う位置に前記メインシールド１０が配置される。このメインシールド１０は、前記開口７の大きさよりも少し大きく形成され、図３に示すように開口７を覆った状態で、開口７の周囲はレフトシールド２とライトシールド３（メインシールド１０）とが重なった状態となる。
【００３３】
図３に示すように、横方向においてライトシールド３の一端部３ｄよりも少し中央より垂直方向にヒンジ部２ａが形成されている（メインシールド１０の一辺として形成されている）。このヒンジ部２ａは、例えばレフトシールド２の表面に直線状に浅い切り込みを入れることにより形成される。
レフトシールド２は、前記ヒンジ部２ａを軸としてメインシールド１０が水平方向（横方向）に回動可能に構成されている。即ち、ライトシールド３に形成された開口７は、メインシールド１０の回動動作によって開閉し、全開すると図４のようになり、使用者の口の位置が開くようになっている。
尚、前記切り欠き３ａとヒンジ部２ｂの水平方向における位置により開口７の横方向長さｗが決まる。この開口７の横方向長さｗは、任意に設定することができる。
【００３４】
また、図３に示すようにレフトシールド２のメインシールド１０とライトシールド３とが重なる部分において、メインシールド１０側とライトシールド３側に互いに極性の異なるマグネット８ａ、８ｂ（あるいは一方は鉄板などの磁性体）が取り付けられている。これにより、メインシールド１０を閉じた際に、ライトシールド３に対し強固に密着させることができ、不意にメインシールド１０が開くことを防止することができる。
【００３５】
このように構成されたマウスシールド１を使用する場合、フレーム５の左右両側の耳掛け紐６を使用者の両耳に掛け、一対の鼻当て５ｂを使用者の鼻の左右両側（鼻翼溝１０１近傍）に当てて装着する。
マウスシールド１を装着すると、図５（ａ）のようにメインシールド１０が使用者１００の口の前方に位置する状態である。
【００３６】
使用者１００が飲食する場合、例えば図５（ｂ）に示すように、指先１０２でメインシールド１０の下端（作用点）を前方へ軽く押し出す。すると、マグネット８ａとマグネット８ｂとが離れ、メインシールド１０は指の押圧力によりヒンジ部２ｂを軸に前方に回動し、図５（ｃ）に示すようにメインシールド１０が例えば約１８０°回動した状態で開く。
【００３７】
このようにメインシールド１０が開いた状態において、使用者１００は、飲食が可能となり、また、使用者１００の顔とフレーム５との距離が長く確保され、メインシールド１０が使用者１００の目の位置より下方にあるため、視界を遮ることがない。
また、メインシールド１０を閉じる場合には、図５（ｃ）の状態から、メインシールド１０を指先１０２で閉じる方向に押して回動させ、メインシールド１０側のマグネット８ｂとライトシールド３側のマグネット８ａとを吸着させ、図５（ａ）の状態とすればよい。
【００３８】
以上のように本考案に係る第二の実施の形態によれば、マウスシールド１は、使用者の鼻孔及び口を覆うメインシールド１０を備え、前記メインシールド１０は、ヒンジ部２ｂによって水平方向（横方向）に回動可能に構成されている。
この構成により、メインシールド１０は、その下端を前方に軽く押すだけで、ヒンジ部２ｂを回転軸として回動し開口が開く。このとき、メインシールド１０は、使用者１００の目の高さより下方に位置するため、視界が遮られることなく、容易に飲食することができる。また、シールドの一部を開口するため、シールド全体を取り外すよりも飛沫等に対する遮蔽効果が高いといった効果が得られる。
また、フレーム５の形状は、前述の第一の実施の形態と同様であるため、第一の実施の形態と同様の作用効果を得ることができる。
【００３９】
尚、前記第二の実施の形態においては、フレーム５の下方に寸法ｈ１を空けて、水平方向の切り欠き３ｂを設けたが、本考案にあっては、その形態に限定されるものではない。
例えば、図６に示すように水平方向の切り欠き３ｂを設けない構造（寸法ｈ１＝０）、即ち、図７に示すようにメインシールド１０を開いた際に、開口７の上下方向にシールドがない状態となるように構成してもよい。
【００４０】
また、前記第二の実施の形態においては、ライトシールド３（第一のシールド）に切り欠き３ａ、３ｂ（開口７）を形成し、レフトシールド２（第二のシールド）にマスクシールド１０を設けたが、本考案にあっては、その形態に限定されず、レフトシールド２に切り欠き３ａ、３ｂ（開口７）を形成し、ライトシールド３にマスクシールド１０を設けた構成としてもよい。
【００４１】
また、前記第二の実施の形態においては、ヒンジ部２ａは、縦方向に延びる線状に形成され、メインシールド１０は、前記ヒンジ部２ａを軸にして横方向に回動可能な構成としたが、本考案にあっては、その形態に限定されるものではない。
例えば、前記ヒンジ部２ａを横方向に延びる線状に形成し、前記メインシールド１０を、前記ヒンジ部２ａを軸にして縦方向に回動するように構成してもよい。
【００４２】
また、前記第二の実施の形態においては、フレーム５を耳掛け紐６により使用者に装着する構成としたが、本考案にあっては、その形態に限定されるものではない。
例えば、フレーム５を眼鏡のフレームのように耳掛けする構成としてもよい。
【符号の説明】
【００４３】
１          マウスシールド
２          レフトシールド（第二のシールド）
２ａ        ヒンジ部
３          ライトシールド（第一のシールド）
３ａ        切り欠き
３ｂ        切り欠き
４          アッパーシールド
５          フレーム
５ｂ        鼻当て
６          耳掛け紐
８ａ        マグネット（磁性体）
８ｂ        マグネット（磁性体）
９          マグネット（第一の磁性体）
１０        メインシールド
１５        シールド
１００      使用者
１０１      鼻翼溝
１０２      指
【図１】
0003231306.tif 000003
【図２】
0003231306.tif 000004
【図３】
0003231306.tif 000005
【図４】
0003231306.tif 000006
【図５】
0003231306.tif 000007
【図６】
0003231306.tif 000008
【図７】
0003231306.tif 000009
【図８】
0003231306.tif 000010